(57)【特許請求の範囲】
【請求項１】
レンズ装置等のアクセサリを固定するためのバヨネットマウント構造において、
アクセサリの周方向に配列形成された複数の爪が光軸方向に当接する環状のステージを有すると共に、外周面に沿ってネジ切り口が形成されたリング状あるいは円筒状のマウント基部と、
内周面に沿って形成されたネジ切り口を有すると共にこのネジ切り口が前記マウント基部のネジ切り口に螺合することにより前記マウント基部に対して回転自在に保持され且つアクセサリの爪に係合する径方向内方へ突出した複数の爪が周方向に配列形成されたバヨネットリングと、
前記バヨネットリングの一つの爪の光軸方向背部に径方向内方へ突出して固定され且つアクセサリの爪の端部に係合するストッパと
を備え、アクセサリの爪を前記バヨネットリングの爪の間に挿入して前記マウント基部のステージに当接させた状態でアクセサリを周方向に回転させると、アクセサリの爪が前記バヨネットリングの爪と前記マウント基部のステージとの間に入り込んでアクセサリの爪の端部が前記ストッパに係合し、アクセサリと共に前記バヨネットリングが前記マウント基部に対し回転してアクセサリの爪が前記バヨネットリングの爪と前記マウント基部のステージとの間で締め込まれることを特徴とするバヨネットマウント構造。
【請求項２】
前記マウント基部は、前記ストッパに係合することにより前記バヨネットリングの回転角度を規制する規制部を有する請求項１に記載のバヨネットマウント構造。
【請求項３】
前記バヨネットリングの複数の爪とアクセサリの複数の爪はその周方向の配置位置または大きさが不均等に形成され、前記バヨネットリングとアクセサリとが互いに特定の回転位置においてのみアクセサリの複数の爪が前記バヨネットリングの複数の爪の間に挿入されることを特徴とする請求項１または２に記載のバヨネットマウント構造。
【請求項４】
光学機器のレンズ前部にアクセサリを装着するためのバヨネットアダプタであって、
請求項１〜３のいずれか一項に記載のバヨネットマウント構造を有し、前記マウント基部が光学機器に脱着自在に取り付けられる円筒状のアダプタ本体からなることを特徴とするバヨネットアダプタ。
【発明の詳細な説明】
【技術分野】
【０００１】
この発明は、バヨネットマウント構造に係り、特に複数の爪をレンズ装置等のアクセサリの爪に係合させてアクセサリを固定するバヨネットマウント構造に関する。
また、この発明は、バヨネットマウント構造を用いてカメラやプロジェクタ等の光学機器のレンズ前部にアクセサリを装着するためのバヨネットアダプタにも関している。
【背景技術】
【０００２】
従来から、カメラ本体等にレンズ装置を取り付けるためのバヨネットマウント構造が知られている。バヨネットマウント構造においては、バヨネットマウントの周方向に形成された複数の爪の間にレンズ装置の爪を嵌入させた状態でレンズ装置を所定角度だけ周方向に回転させると、レンズ装置の爪がバヨネットマウントの爪に係合すると共にバヨネットマウントの爪の裏面に配設された板ばねにより押圧されてレンズ装置が固定される。
【０００３】
このバヨネットマウント構造により、操作性よくレンズ装置の着脱を行うことができるが、何らかの原因でレンズ装置が逆方向へ回転してバヨネットマウントから脱落することを防止するために、例えば特許文献１に開示されているようにロック爪を有するロック機構を備え、レンズ装置の回転を禁止する構造が採られている。レンズ装置を取り外す場合には、ロック解除ピンを操作してロック爪を退避させることにより、レンズ装置を回転可能な状態にすればよい。
【０００４】
【特許文献１】登録実用新案第３０１８７５６号公報
【発明の開示】
【発明が解決しようとする課題】
【０００５】
しかしながら、ロック機構及びロック解除機構が複雑であり、部品点数も多く、大型化するという問題点があった。
この発明はこのような問題点を解消するためになされたもので、簡単な構造でありながらレンズ装置等のアクセサリを容易に且つ堅固に固定することができるバヨネットマウント構造を提供することを目的とする。
また、この発明はこのようなバヨネットマウント構造を用いたバヨネットアダプタを提供することも目的としている。
【課題を解決するための手段】
【０００６】
この発明に係るバヨネットマウント構造は、レンズ装置等のアクセサリを固定するためのバヨネットマウント構造において、アクセサリの周方向に配列形成された爪が光軸方向に当接する環状のステージを有すると共に、外周面に沿ってネジ切り口が形成されたリング状あるいは円筒状のマウント基部と、内周面に沿って形成されたネジ切り口を有すると共にこのネジ切り口がマウント基部のネジ切り口に螺合することによりマウント基部に対して回転自在に保持され且つアクセサリの爪に係合する径方向内方へ突出した複数の爪が周方向に配列形成されたバヨネットリングと、バヨネットリングの一つの爪の光軸方向背部に径方向内方へ突出して固定され且つアクセサリの爪の端部に係合するストッパとを備えたものである。アクセサリの爪をバヨネットリングの爪の間に挿入してマウント基部のステージに当接させた状態でアクセサリを周方向に回転させると、アクセサリの爪がバヨネットリングの爪とマウント基部のステージとの間に入り込んでアクセサリの爪の端部がストッパに係合し、アクセサリと共にバヨネットリングがマウント基部に対し回転してアクセサリの爪がバヨネットリングの爪とマウント基部のステージとの間で締め込まれる。
【０００７】
なお、ストッパに係合することによりバヨネットリングの回転角度を規制する規制部をマウント基部に備えることが好ましい。
また、バヨネットリングの複数の爪とアクセサリの複数の爪をその周方向に不均等に配置する、あるいは不均等な大きさに形成し、バヨネットリングとアクセサリとが互いに特定の回転位置においてのみアクセサリの複数の爪がバヨネットリングの複数の爪の間に挿入されるように構成すれば、バヨネットマウント構造とアクセサリの回転位置を規制することができる。
さらに、この発明に係るバヨネットアダプタは、上記のバヨネットマウント構造を有し、マウント基部が光学機器に脱着自在に取り付けられる円筒状のアダプタ本体からなるものである。
【発明の効果】
【０００８】
この発明に係るバヨネットマウント構造においては、アクセサリの爪をバヨネットリングの爪の間に挿入してマウント基部のステージに当接させた状態でアクセサリを周方向に回転させるだけで、アクセサリの爪がバヨネットリングの爪とマウント基部のステージとの間に入り込んでアクセサリの爪の端部がストッパに係合し、アクセサリと共にバヨネットリングがマウント基部に対し回転してアクセサリの爪がバヨネットリングの爪とマウント基部のステージとの間で締め込まれるため、簡単な構造でありながらレンズ装置等のアクセサリを容易に且つ堅固に固定することが可能となる。
【発明を実施するための最良の形態】
【０００９】
以下、この発明の実施の形態を添付図面に基づいて説明する。
図１及び２にこの発明の実施の形態に係るバヨネットマウント構造を採用したバヨネットアダプタを示す。バヨネットアダプタは、バヨネットマウント構造のマウント基部を構成するアダプタ本体１と、このアダプタ本体１の前部に取り付けられたバヨネットリング２を有している。アダプタ本体１は、ほぼ円筒形状を有するが、その前部には大きな径を有する拡径部３が形成され、この拡径部３の外周面に沿ってネジ切り口４が形成されている。一方、バヨネットリング２は、アダプタ本体１の拡径部３を収容し得る径の周壁部５を有し、この周壁部５の内周面に沿ってアダプタ本体１のネジ切り口４に対応するネジ切り口６が形成されている。バヨネットリング２のネジ切り口６をアダプタ本体１のネジ切り口４に螺合させることにより、バヨネットリング２がアダプタ本体１に対して回転自在に保持されている。
【００１０】
図３及び４に示されるように、アダプタ本体１の拡径部３には、環状で且つ前方を向いたステージ７が形成されると共にステージ７の周縁からアダプタ本体１の前方へ向かって突出する突出壁８が形成されている。この突出壁８は、所定角度θ（例えば１２０度）にわたって切り欠かれており、バヨネットリング２の回転角度を規制する規制部を形成している。また、アダプタ本体１の後端外周部には、カメラやプロジェクタ等の光学機器に脱着自在に取り付けるためのネジ切り口９が形成されている。
【００１１】
図５及び６に示されるように、バヨネットリング２には、それぞれ径方向内方へ突出する３つの爪１０が互いに周方向に間隔を隔てて配列形成されている。また、これらの爪１０のうちの一つの端部において、その爪１０の背部に位置するように周壁部５にストッパ１１が固定されている。ストッパ１１は、例えばボルトからなり、バヨネットリング２の周壁部５の外側からねじ込まれて固定される。
【００１２】
バヨネットリング２にストッパ１１を取り付けない状態で、図１及び２に示されるように、バヨネットリング２のネジ切り口６をアダプタ本体１のネジ切り口４に螺合させ、その後バヨネットリング２の周壁部５にその外側からストッパ１１を取り付ける。このとき、ストッパ１１は、その先端がアダプタ本体１の突出壁８の切り欠き部分に突出してアダプタ本体１のステージ７とバヨネットリング２の爪１０との間に位置するように取り付けられる。アダプタ本体１の突出壁８はバヨネットリング２の周壁部５のすぐ内側に配置されるため、突出壁８の切り欠き部分であれば、ストッパ１１の先端を周壁部５からアダプタ本体１の中心軸方向へ突出させることができる。
【００１３】
このようなストッパ１１の存在により、ストッパ１１がアダプタ本体１の突出壁８の切り欠き部分に位置する範囲内でのみ、バヨネットリング２はアダプタ本体１に対して回転自在となる。すなわち、バヨネットリング２は所定角度θしか回転することができず、このためストッパ１１が存在する限り、バヨネットリング２を回転させてもアダプタ本体１から脱落することはない。
【００１４】
このバヨネットアダプタを用いて光学機器のレンズ前部にアクセサリとしてコンバージョンレンズを装着した状態を図７に示す。カメラやプロジェクタ等の光学機器１２に形成されたネジ切り口１３にアダプタ本体１の後端部のネジ切り口９を螺合させることにより、バヨネットアダプタを光学機器１２に取り付ける。このとき、光学機器１２のレンズ群１４はアダプタ本体１内に位置し、バヨネットリング２はレンズ群１４の前側に位置する。
【００１５】
この状態で、コンバージョンレンズ１５をバヨネットアダプタに取り付ける。コンバージョンレンズ１５の後端部には、図８に示されるように、それぞれ径方向外方へ突出する３つの爪１６が互いに周方向に間隔を隔てて配列形成されている。コンバージョンレンズ１５の爪１６をバヨネットリング２の爪１０の間に挿入すると、これらの爪１６がアダプタ本体１のステージ７に当接する。この当接状態を維持したまま、コンバージョンレンズ１５を周方向、例えば時計方向へ回転させると、図９に示されるように、コンバージョンレンズ１５の爪１６がバヨネットリング２の爪１０とアダプタ本体１のステージ７との間に入り込み、コンバージョンレンズ１５の一つの爪１６の端部がストッパ１１に係合する。図９の斜線部分がこのときの双方の爪１０及び１６の重なり部分を示している。
【００１６】
さらにコンバージョンレンズ１５を回転させると、爪１６がストッパ１１に係合しているためにコンバージョンレンズ１５と共にバヨネットリング２がアダプタ本体１に対して回転する。これにより、互いに螺合しているバヨネットリング２のネジ切り口４とアダプタ本体１のネジ切り口６との相互作用に起因して、バヨネットリング２はアダプタ本体１に向かって軸方向へ移動し、バヨネットリング２の爪１０とアダプタ本体１のステージ７との間隔が次第に狭まる。その結果、コンバージョンレンズ１５の３つの爪１６がバヨネットリング２の爪１０とアダプタ本体１のステージ７との間で締め込まれ、コンバージョンレンズ１５が固定される。
【００１７】
コンバージョンレンズ１５をバヨネットアダプタから取り外す場合には、コンバージョンレンズ１５を逆方向に回転させればよい。初めはバヨネットリング２がコンバージョンレンズ１５と共に回転してバヨネットリング２の爪１０とアダプタ本体１のステージ７との間隔が次第に広がり、その後コンバージョンレンズ１５のみが回転して３つの爪１６のうちの一つがストッパ１１に係合する。このとき、コンバージョンレンズ１５の爪１６は既にバヨネットリング２の爪１０の間に位置しているため、そのままコンバージョンレンズ１５をバヨネットアダプタから離すように取り出せばよい。
【００１８】
なお、図１０に示されるように、バヨネットリング２の３つの爪のうち２つの爪１０ａを残る１つの爪１０ｂよりも周方向に大きく形成することによりこれら２つの爪１０ａの間の凹部１７ａを他の凹部１７ｂより小さく形成すると共に、これらバヨネットリング２の凹部１７ａ及び１７ｂに対応させて、図１１に示されるように、コンバージョンレンズ１５の３つの爪１６のうち１つの爪１６ａを他の２つの爪１６ｂより小さく形成することもできる。ここで、コンバージョンレンズ１５の爪１６ａはバヨネットリング２の凹部１７ａに挿入可能であり、コンバージョンレンズ１５の爪１６ｂはバヨネットリング２の凹部１７ｂには挿入可能であるが小さな凹部１７ａには挿入することができないものとする。
【００１９】
このようにすれば、コンバージョンレンズ１５の爪１６ａがバヨネットリング２の凹部１７ａに対応するような回転位置においてのみコンバージョンレンズ１５が取り付けられ、コンバージョンレンズ１５を常に使いやすい回転位置で装着することが可能となる。
また、コンバージョンレンズ１５とバヨネットリング２の双方の外側部にそれぞれ指標を付け、互いの指標をつき合わせることで互いの回転位置を合わせるようにすることが好ましい。さらに、アダプタ本体１の外側部にも指標を付け、コンバージョンレンズ１５とバヨネットリング２とアダプタ本体１の指標を互いにつき合わせたときにコンバージョンレンズ１５の装着が可能な状態であることを示すようにしてもよい。
上述のようにバヨネットリング２の爪とコンバージョンレンズ１５の爪を不均等の大きさに形成する代わりに、バヨネットリング２の３つの爪とコンバージョンレンズ１５の３つの爪をその周方向に不均等に配置しても、同様に、特定の回転位置においてのみコンバージョンレンズ１５の取り付けを可能とすることができる。
【００２０】
上記の実施の形態においては、バヨネットリング２及びコンバージョンレンズ１５にそれぞれ３つの爪１０及び１６が形成されていたが、爪の個数はこれに限るものではなく、適宜設定することができる。
また、上記の実施の形態では、バヨネットアダプタを用いて光学機器１２のレンズ前部にコンバージョンレンズ１５を装着したが、コンバージョンレンズ１５の代わりにフィルタやフード等の他のアクセサリを装着することもできる。さらに、カメラ本体等の前部にアダプタ本体１のようなマウント基部を形成し、このマウント基部にバヨネットリング２を組み合わせてバヨネットマウント構造を構成すれば、レンズ装置等のアクセサリを容易に着脱することが可能となる。
【図面の簡単な説明】
【００２１】
【図１】この発明の実施の形態に係るバヨネットマウント構造を採用したバヨネットアダプタを示す一部破断側面図である。
【図２】図１のバヨネットアダプタの正面図である。
【図３】図１のバヨネットアダプタに用いられたアダプタ本体を示す一部破断側面図である。
【図４】図３のアダプタ本体を示す正面図である。
【図５】図１のバヨネットアダプタに用いられたバヨネットリングを示す一部破断側面図である。
【図６】図５のバヨネットリングを示す正面図である。
【図７】図１のバヨネットアダプタを用いて光学機器にコンバージョンレンズを装着した状態を示す一部破断側面図である。
【図８】図７の光学機器を示す端面図である。
【図９】図７の光学機器の爪とバヨネットリングの爪の重なり状態を概略的に示す正面図である。
【図１０】他の実施の形態に係るバヨネットアダプタに用いられたバヨネットリングを示す正面図である。
【図１１】図１０のバヨネットリングに適用される光学機器を示す端面図である。
【符号の説明】
【００２２】
１  アダプタ本体、２  バヨネットリング、３  拡径部、４，６，９，１３  ネジ切り口、５  周壁部、７  ステージ、８  突出壁、１０，１６，１６ａ，１６ｂ  爪、１１  ストッパ、１２  光学機器、１４  レンズ群、１５  コンバージョンレンズ、１０ａ，１０ｂ，１０ｃ  間隔。
【図１】
0004608199.tif 000002
【図２】
0004608199.tif 000003
【図３】
0004608199.tif 000004
【図４】
0004608199.tif 000005
【図５】
0004608199.tif 000006
【図６】
0004608199.tif 000007
【図７】
0004608199.tif 000008
【図８】
0004608199.tif 000009
【図９】
0004608199.tif 000010
【図１０】
0004608199.tif 000011
【図１１】
0004608199.tif 000012